【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
複数の情報処理装置がネットワークを介して接続されるサービス提供システムであって、
前記複数の情報処理装置の各々が、
他の情報処理装置と表示を共有するために取得した複数のページを含むコンテンツを自装置の共有画面に表示させる表示手段と、
前記共有画面の前記コンテンツの表示に対して描画反映されるページ送り操作を含む入力操作の権限を取得するための設定指示を受け付ける第一の受付手段と、
前記権限を有している場合に前記入力操作の入力を受け付け、前記権限を有していない場合に前記入力操作の入力を受け付けない入力操作受付手段と、
前記入力操作受付手段によって受け付けた入力操作の操作情報を前記他の情報処理装置へ送信する送信手段と、
前記権限を有している前記他の情報処理装置から送信された、前記他の情報処理装置の共有画面において受け付けた前記入力操作の操作情報を受信する受信手段と、
前記共有画面の前記コンテンツの表示に対して、前記受信した操作情報に従ってページ送り操作を描画反映する描画手段と、
前記入力操作の共有に係る設定指示を受け付ける第二の受付手段と、
を有し、
前記複数の情報処理装置のいずれかにおいて前記第一の受付手段によって受け付けた設定指示に従って前記権限を取得した場合に、自装置が前記権限を取得するまで前記権限を有していた情報処理装置において前記入力操作を受け付けできないように制御し、
さらに、前記複数の情報処理装置のいずれかにおいて前記第二の受付手段によって受け付けた設定指示に従って前記入力操作を共有する設定から共有しない設定に切り換えられた場合に、前記権限を有していなくとも前記共有しない設定に切り換えられた情報処理装置において前記入力操作を受け付け可能とし、該受け付けた入力操作を自装置の前記コンテンツの表示に描画反映する一方で、前記権限を有している前記他の情報処理装置において受け付けた前記入力操作を自装置の前記コンテンツの表示に描画反映せず、
前記第二の受付手段によって受け付けた設定指示に従って前記入力操作を共有しない設定から共有する設定に切り換えられた場合に、自装置が前記権限を有していなければ前記入力操作を受け付けないように制御する一方で、前記受信手段によって受信した入力操作の操作情報に従って、前記権限を有している他の情報処理装置の共有画面に表示しているページと同じページを自装置の前記コンテンツの表示に描画反映させることを特徴とするサービス提供システム。
【請求項２】
前記複数の情報処理装置のいずれかにおいて、前記共有しない設定に切り換えられた場合に、該設定が切り換えられた情報処理装置において受け付け可能となった前記入力操作は他の情報処理装置の共有画面には描画反映されないことを特徴とする請求項１に記載のサービス提供システム。
【請求項３】
前記第二の受付手段によって受け付けた設定指示に従って切り換えられる前記入力操作の共有に係る設定は、他の情報処理装置で受け付けた入力操作を自装置の前記コンテンツの表示に描画反映させるか否かに係る設定であることを特徴とする請求項１または２に記載のサービス提供システム。
【請求項４】
前記複数の情報処理装置の各々はさらに、
前記受信手段によって受信した前記操作情報を所定の記憶領域に記録する記憶手段を有し、
前記複数の情報処理装置のいずれかにおいて、
前記入力操作を共有しない設定から共有する設定に切り換えられた場合に、前記所定の記憶領域に記録された前記操作情報に従って、前記権限を有している他の情報処理装置が前記共有画面に表示しているページと同じページを自装置の前記コンテンツの表示に描画反映させることを特徴とする請求項１乃至３のいずれか一項に記載のサービス提供システム。
【請求項５】
前記所定の記憶領域は第一の記憶領域であって、
前記入力操作を共有しない設定の際に、自装置において受け付けた入力操作の操作情報を前記第一の記憶領域とは異なる第二の記憶領域に記録することで、前記自装置において受け付けた入力操作の操作情報の記録と、前記入力操作を共有しない設定の際に前記権限を有している他の情報処理装置から受信した操作情報の記録を異なる記録領域でそれぞれ管理することを特徴とする請求項４に記載のサービス提供システム。
【請求項６】
前記第一の受付手段によって受け付けた設定指示に従って、自装置において該自装置の前記入力操作受付手段によって前記入力操作を受け付けない設定を該入力操作を受け付ける設定に切り換え、他の情報処理装置において該他の情報処理装置の前記入力操作受付手段によって前記入力操作を受け付ける設定を該入力操作を受け付けない設定に切り換えることによって、前記設定指示を受け付けた情報処理装置は前記権限を取得することを特徴とする請求項１乃至５のいずれか一項に記載のサービス提供システム。
【請求項７】
前記複数の情報処理装置の各々はさらに、
前記第一の受付手段によって受け付けた設定指示に従って、自装置が前記権限を有さない設定から前記権限を有する設定へ切り換えられる場合に、前記入力操作受付手段によって入力を受け付ける機能を無効から有効とする一方で、前記自装置以外の他の情報処理装置へ該他の情報処理装置で前記コンテンツが表示された共有画面上の前記入力操作を受け付ける機能を無効にするための通知を送信し、
前記サービス提供システムは、前記複数の情報処理装置のいずれかにおいて前記第一の受付手段によって前記設定指示を受け付けた場合に、該設定指示を受け付けるまで前記権限を有していた情報処理装置の前記入力操作受付手段によって入力を受け付ける機能は、前記設定指示を受け付けた情報処理装置から送信された前記無効にするための通知に基づいて有効から無効となることを特徴とする請求項１乃至６のいずれか一項に記載のサービス提供システム。
【請求項８】
前記複数の情報処理装置の各々はさらに、同じアクセスポイントを検出して無線ＬＡＮに接続することで前記ネットワークに接続し、
前記権限を有する情報処理装置の前記送信手段は、ブロードキャストにより検出した全ての他の情報処理装置それぞれに対して前記無効にするための通知を送信することを特徴とする請求項７に記載のサービス提供システム。
【請求項９】
前記複数の情報処理装置の各々はさらに、
前記コンテンツを前記情報処理装置が備える記憶領域または外部の記憶領域から取得することを特徴とする請求項１乃至８のいずれか一項に記載のサービス提供システム。
【請求項１０】
前記複数の情報処理装置の各々はさらに、
前記自装置の共有画面で受け付けた入力操作の種類がページ送り操作またはポインタ操作であると判別する操作種判別手段と、
前記操作種判別手段によって判別された入力操作の種類に応じて、前記入力操作の操作情報を含む送信データを生成するデータ生成手段と、
を有し、
前記送信手段は、前記データ生成手段によって生成された送信データを送信し、
前記複数の情報処理装置のいずれかにおいて前記第一の受付手段によって受け付けた設定指示に従って前記権限を取得した場合に、該権限を取得した情報処理装置の前記操作種判別手段および前記データ生成手段は機能し、前記権限を取得するために送信された通知に基づいて前記権限を取得する情報処理装置以外の他の情報処理装置がそれぞれ有する前記操作種判別手段および前記データ生成手段は機能停止状態となることを特徴とする請求項１乃至９のいずれか一項に記載のサービス提供システム。
【請求項１１】
前記複数の情報処理装置の各々はさらに、
利用者によるポインタ操作を受け付けた場合、前記送信手段により、前記共有画面上のポインタ位置にあたるポインタ位置情報を前記操作情報として送信することを特徴とする請求項１乃至１０のいずれか一項に記載のサービス提供システム。
【請求項１２】
前記入力操作の権限によって制限される前記入力操作はさらに、前記共有画面上のポインタ操作または手書き入力操作のいずれかを含むことを特徴とする請求項１乃至１１のいずれか一項に記載のサービス提供システム。
【請求項１３】
前記複数の情報処理装置の各々はさらに、前記表示手段、前記第一の受付手段、前記入力操作受付手段、前記送信手段、前記受信手段、前記描画手段および前記第二の受付手段を有する画面共有アプリをインストールしており、
それぞれの画面共有アプリを起動することによって前記コンテンツを前記共有画面へ表示させることを特徴とする請求項１乃至１２のいずれか一項に記載のサービス提供システム。
【請求項１４】
前記複数の情報処理装置の各々は、スマートフォンまたはタブレットＰＣであることを特徴とする請求項１乃至１３のいずれか一項に記載のサービス提供システム。
【請求項１５】
前記サービス提供システムは、前記ネットワークを介して接続される投影装置を有し、
前記投影装置は、前記権限を有する情報処理装置から送信される前記操作情報を受信し、前記受信した操作情報に従って、画面上に表示オブジェクトを描画および投影することを特徴とする請求項１乃至１４のいずれか一項に記載のサービス提供システム。
【請求項１６】
複数の情報処理装置がネットワークを介して接続されるサービス提供システムが実行する方法あって、
前記複数の情報処理装置の各々が、
他の情報処理装置と表示を共有するために取得した複数のページを含むコンテンツを自装置の共有画面に表示させる表示工程と、
前記共有画面の前記コンテンツの表示に対して描画反映されるページ送り操作を含む入力操作の権限を取得するための設定指示を受け付ける第一の受付工程と、
前記権限を有している場合に前記入力操作の入力を受け付け、前記権限を有していない場合に前記入力操作の入力を受け付けない入力操作受付工程と、
前記入力操作受付工程によって受け付けた入力操作の操作情報を前記他の情報処理装置へ送信する送信工程と、
前記権限を有している前記他の情報処理装置から送信された、前記他の情報処理装置の共有画面において受け付けた前記入力操作の操作情報を受信する受信工程と、
前記共有画面の前記コンテンツの表示に対して、前記受信した操作情報に従ってページ送り操作を描画反映する描画工程と、
前記入力操作の共有に係る設定指示を受け付ける第二の受付工程と、
を有し、
前記複数の情報処理装置のいずれかにおいて前記第一の受付工程によって受け付けた設定指示に従って前記権限を取得した場合に、自装置が前記権限を取得するまで前記権限を有していた情報処理装置において前記入力操作を受け付けできないように制御し、
さらに、前記複数の情報処理装置のいずれかにおいて前記第二の受付工程によって受け付けた設定指示に従って前記入力操作を共有する設定から共有しない設定に切り換えられた場合に、前記権限を有していなくとも前記共有しない設定に切り換えられた情報処理装置において前記入力操作を受け付け可能とし、該受け付けた入力操作を自装置の前記コンテンツの表示に描画反映する一方で、前記権限を有している前記他の情報処理装置において受け付けた前記入力操作を自装置の前記コンテンツの表示に描画反映せず、
前記第二の受付工程によって受け付けた設定指示に従って前記入力操作を共有しない設定から共有する設定に切り換えられた場合に、自装置が前記権限を有していなければ前記入力操作を受け付けないように制御する一方で、前記受信工程によって受信した入力操作の操作情報に従って、前記権限を有している他の情報処理装置の共有画面に表示しているページと同じページを自装置の前記コンテンツの表示に描画反映させることを特徴とするサービス提供方法。
【請求項１７】
複数の情報処理装置がネットワークを介して接続されるサービス提供システムにおける前記情報処理装置であって、
他の情報処理装置と表示を共有するために取得した複数のページを含むコンテンツを自装置の共有画面に表示させる表示手段と、
前記共有画面の前記コンテンツの表示に対して描画反映されるページ送り操作を含む入力操作の権限を取得するための設定指示を受け付ける第一の受付手段と、
前記権限を有している場合に前記入力操作の入力を受け付け、前記権限を有していない場合に前記入力操作の入力を受け付けない入力操作受付手段と、
前記入力操作受付手段によって受け付けた入力操作の操作情報を前記他の情報処理装置へ送信する送信手段と、
前記権限を有している前記他の情報処理装置から送信された、前記他の情報処理装置の共有画面において受け付けた前記入力操作の操作情報を受信する受信手段と、
前記共有画面の前記コンテンツの表示に対して、前記受信した操作情報に従ってページ送り操作を描画反映する描画手段と、
前記入力操作の共有に係る設定指示を受け付ける第二の受付手段と、
を有し、
前記第一の受付手段によって受け付けた設定指示に従って前記権限を取得することによって、自装置が前記権限を取得するまで前記権限を有していた他の情報処理装置において前記入力操作が受け付けできないように制御され、
さらに、前記第二の受付手段によって受け付けた設定指示に従って前記入力操作を共有する設定から共有しない設定に切り換えられた場合に、前記権限を有していなくとも前記入力操作を受け付け可能とし、該受け付けた入力操作を自装置の前記コンテンツの表示に描画反映する一方で、前記権限を有している前記他の情報処理装置において受け付けた前記入力操作を自装置の前記コンテンツの表示に描画反映せず、
前記第二の受付手段によって受け付けた設定指示に従って前記入力操作を共有しない設定から共有する設定に切り換えられた場合に、自装置が前記権限を有していなければ前記入力操作を受け付けないように制御する一方で、前記受信手段によって受信した入力操作の操作情報に従って、前記権限を有している他の情報処理装置の共有画面に表示しているページと同じページを自装置の前記コンテンツの表示に描画反映させることを特徴とする情報処理装置。
【請求項１８】
複数の情報処理装置がネットワークを介して接続されるサービス提供システムにおける前記情報処理装置を構成するコンピュータを、
他の情報処理装置と表示を共有するために取得した複数のページを含むコンテンツを自装置の共有画面に表示させる表示手段、
前記共有画面の前記コンテンツの表示に対して描画反映されるページ送り操作を含む入力操作の権限を取得するための設定指示を受け付ける第一の受付手段、
前記権限を有している場合に前記入力操作の入力を受け付け、前記権限を有していない場合に前記入力操作の入力を受け付けない入力操作受付手段、
前記入力操作受付手段によって受け付けた入力操作の操作情報を前記他の情報処理装置へ送信する送信手段、
前記権限を有している前記他の情報処理装置から送信された、前記他の情報処理装置の共有画面において受け付けた前記入力操作の操作情報を受信する受信手段、
前記共有画面の前記コンテンツの表示に対して、前記受信した操作情報に従ってページ送り操作を描画反映する描画手段、
前記入力操作の共有に係る設定指示を受け付ける第二の受付手段、
として機能させ、
前記第一の受付手段によって受け付けた設定指示に従って前記権限を取得することによって、自装置が前記権限を取得するまで前記権限を有していた他の情報処理装置において前記入力操作が受け付けできないように制御され、
さらに、前記第二の受付手段によって受け付けた設定指示に従って前記入力操作を共有する設定から共有しない設定に切り換えられた場合に、前記権限を有していなくとも前記入力操作を受け付け可能とし、該受け付けた入力操作を自装置の前記コンテンツの表示に描画反映する一方で、前記権限を有している前記他の情報処理装置において受け付けた前記入力操作を自装置の前記コンテンツの表示に描画反映せず、
前記第二の受付手段によって受け付けた設定指示に従って前記入力操作を共有しない設定から共有する設定に切り換えられた場合に、自装置が前記権限を有していなければ前記入力操作を受け付けないように制御する一方で、前記受信手段によって受信した入力操作の操作情報に従って、前記権限を有している他の情報処理装置の共有画面に表示しているページと同じページを自装置の前記コンテンツの表示に描画反映させることを特徴とするプログラム。
【請求項１９】
複数の情報処理装置がネットワークを介して接続されるサービス提供システムにおける前記情報処理装置が実行する方法あって、
他の情報処理装置と表示を共有するために取得した複数のページを含むコンテンツを自装置の共有画面に表示させる表示工程と、
前記共有画面の前記コンテンツの表示に対して描画反映されるページ送り操作を含む入力操作の権限を取得するための設定指示を受け付ける第一の受付工程と、
前記権限を有している場合に前記入力操作の入力を受け付け、前記権限を有していない場合に前記入力操作の入力を受け付けない入力操作受付工程と、
前記入力操作受付工程によって受け付けた入力操作の操作情報を前記他の情報処理装置へ送信する送信工程と、
前記権限を有している前記他の情報処理装置から送信された、前記他の情報処理装置の共有画面において受け付けた前記入力操作の操作情報を受信する受信工程と、
前記共有画面の前記コンテンツの表示に対して、前記受信した操作情報に従ってページ送り操作を描画反映する描画工程と、
前記入力操作の共有に係る設定指示を受け付ける第二の受付工程と、
を有し、
前記第一の受付工程によって受け付けた設定指示に従って前記権限を取得することによって、自装置が前記権限を取得するまで前記権限を有していた他の情報処理装置において前記入力操作が受け付けできないように制御され、
さらに、前記第二の受付工程によって受け付けた設定指示に従って前記入力操作を共有する設定から共有しない設定に切り換えられた場合に、前記権限を有していなくとも前記入力操作を受け付け可能とし、該受け付けた入力操作を自装置の前記コンテンツの表示に描画反映する一方で、前記権限を有している前記他の情報処理装置において受け付けた前記入力操作を自装置の前記コンテンツの表示に描画反映せず、
前記第二の受付工程によって受け付けた設定指示に従って前記入力操作を共有しない設定から共有する設定に切り換えられた場合に、自装置が前記権限を有していなければ前記入力操作を受け付けないように制御する一方で、前記受信工程によって受信した入力操作の操作情報に従って、前記権限を有している他の情報処理装置の共有画面に表示しているページと同じページを自装置の前記コンテンツの表示に描画反映させることを特徴とする情報処理方法。
【手続補正２】
【補正対象書類名】明細書
【補正対象項目名】発明の名称
【補正方法】変更
【補正の内容】
【発明の名称】サービス提供システム、サービス提供方法、情報処理装置、プログラムおよび情報処理方法
【手続補正３】
【補正対象書類名】明細書
【補正対象項目名】０００１
【補正方法】変更
【補正の内容】
【０００１】
本発明は、サービス提供システム、サービス提供方法、情報処理装置、プログラムおよび情報処理方法に関するものである。
【手続補正４】
【補正対象書類名】明細書
【補正対象項目名】０００８
【補正方法】変更
【補正の内容】
【０００８】
上記目的を達成するため、本発明にあっては、複数の情報処理装置がネットワークを介して接続されるサービス提供システムであって、前記複数の情報処理装置の各々が、他の情報処理装置と表示を共有するために取得した複数のページを含むコンテンツを自装置の共有画面に表示させる表示手段と、前記共有画面の前記コンテンツの表示に対して描画反映されるページ送り操作を含む入力操作の権限を取得するための設定指示を受け付ける第一の受付手段と、前記権限を有している場合に前記入力操作の入力を受け付け、前記権限を有していない場合に前記入力操作の入力を受け付けない入力操作受付手段と、前記入力操作受付手段によって受け付けた入力操作の操作情報を前記他の情報処理装置へ送信する送信手段と、前記権限を有している前記他の情報処理装置から送信された、前記他の情報処理装置の共有画面において受け付けた前記入力操作の操作情報を受信する受信手段と、前記共有画面の前記コンテンツの表示に対して、前記受信した操作情報に従ってページ送り操作を描画反映する描画手段と、前記入力操作の共有に係る設定指示を受け付ける第二の受付手段と、を有し、前記複数の情報処理装置のいずれかにおいて前記第一の受付手段によって受け付けた設定指示に従って前記権限を取得した場合に、自装置が前記権限を取得するまで前記権限を有していた情報処理装置において前記入力操作を受け付けできないように制御し、さらに、前記複数の情報処理装置のいずれかにおいて前記第二の受付手段によって受け付けた設定指示に従って前記入力操作を共有する設定から共有しない設定に切り換えられた場合に、前記権限を有していなくとも前記共有しない設定に切り換えられた情報処理装置において前記入力操作を受け付け可能とし、該受け付けた入力操作を自装置の前記コンテンツの表示に描画反映する一方で、前記権限を有している前記他の情報処理装置において受け付けた前記入力操作を自装置の前記コンテンツの表示に描画反映せず、前記第二の受付手段によって受け付けた設定指示に従って前記入力操作を共有しない設定から共有する設定に切り換えられた場合に、自装置が前記権限を有していなければ前記入力操作を受け付けないように制御する一方で、前記受信手段によって受信した入力操作の操作情報に従って、前記権限を有している他の情報処理装置の共有画面に表示しているページと同じページを自装置の前記コンテンツの表示に描画反映させる。